(57)【要約】【課題】室内を広い範囲にわたって照らすことができる間接照明設備を提供する。【解決手段】天井面２と壁面１との境界部に光源４が設けられ、該光源４を隠すカバー５が、天井面２との間及び壁面１との間の両方を開放するようにして備えられている。カバー５の室内側の面部８は、平面をしていて、壁面１と天井面２との室内側境界部を面取り状にするように傾斜しており、また、カバー５の室内側の面部８には、壁面１及び／又は天井面２のクロス９，９と同じクロス９が貼られている。【選択図】      図１
2005019344.tif 000002
【特許請求の範囲】
【請求項１】
天井面と壁面との境界部に光源が設けられ、該光源を隠すカバーが、天井面との間及び壁面との間の両方を開放するようにして備えられていることを特徴とすると間接照明設備。
【請求項２】
天井面と壁面との境界部に光源が設けられ、該光源を隠すカバーが、天井面との間及び壁面との間の両方を開放した状態と、天井面との間及び壁面との間のいずれか一方のみを開放した状態との間で切り換えができるように上下に首振り可能に備えられていることを特徴とする間接照明設備。
【請求項３】
カバーと天井面との間の開放の程度と、カバーと壁面との間の開放の程度とを相対変化させることができるようになされている請求項１又は２に記載の間接照明設備。
【請求項４】
前記カバーの室内側の面部が、平面をしていて、壁面と天井面との室内側境界部を面取り状にするように傾斜している請求項１乃至３のいずれか一に記載の間接照明設備。
【請求項５】
前記カバーの室内側の面部に、壁面及び／又は天井面の仕上げと同じ仕上げがなされている請求項１乃至４のいずれか一に記載の間接照明設備。
【発明の詳細な説明】
【０００１】
【発明の属する技術分野】
本発明は、間接照明システムに関する。
【０００２】
【従来の技術及び課題】
室内を光源の光の反射光で照らす間接照明設備として、光を壁面の上部から下方に照射するコーニス照明や、天井面に柔らかな光を拡散させるコーブ照明が提供されているが、いずれも、壁面と天井面のいずれか一方を照らすものであって、室内を間接照明でよって広い範囲にわたって照らすには不向きなものであった。
【０００３】
本発明は、上記のような従来の問題点に鑑み、室内を広い範囲にわたって照らすことができる間接照明設備を提供することを課題とする。
【０００４】
【課題を解決するための手段】
上記の課題は、天井面と壁面との境界部に光源が設けられ、該光源を隠すカバーが、天井面との間及び壁面との間の両方を開放するようにして備えられていることを特徴とすると間接照明設備によって解決される。
【０００５】
この間接照明設備では、光源の光の反射光が、カバーと天井面との間を通じて天井面に照射されると共に、カバーと壁面との間を通じて壁面に照射され、それによって室内を広い範囲にわたって柔らかな光で照らすことができる。しかも、それを一種の間接照明設備で実現することができる。
【０００６】
また、天井面と壁面との境界部に光源が設けられ、該光源を隠すカバーが、天井面との間及び壁面との間の両方を開放した状態と、天井面との間及び壁面との間のいずれか一方のみを開放した状態との間で切り換えができるように上下に首振り可能に備えられていることを特徴とする間接照明設備によっても解決される。
【０００７】
この間接照明設備においても、カバーを、天井面との間及び壁面との間の両方を開放した状態にすることで、光源の光の反射光が、カバーと天井面との間を通じて天井面に照射されると共に、カバーと壁面との間を通じて壁面に照射され、それによって室内を広い範囲にわたって柔らかな光で照らすことができる。しかも、天井面との間及び壁面との間のいずれか一方のみを開放した状態にすることによって、壁面のみを照らすコーブ照明を行ったり、天井面のみを照らすコーニス照明を行ったりすることもでき、切り換えによって多様な間接照明を行うことが可能となる。
【０００８】
上記の間接照明設備において、カバーと天井面との間の開放の程度と、カバーと壁面との間の開放の程度とを相対変化させることができるようになされている場合は、室内を広い範囲にわたって柔らかな光で照らすことができるのみならず、天井面への反射光の照射量と壁面への反射光の照射量とを変化させることにより、室内に趣の種々異なった間接照明空間を形成することができる。
【０００９】
また、上記の間接照明設備において、前記カバーの室内側の面部が、平面をしていて、壁面と天井面との室内側境界部を面取り状にするように傾斜している場合は、間接照明設備の設置スペースが壁面と天井面とカバーとで囲まれた三角領域となり、壁面と天井面とをカバーで自然に連続させることができ、しかも、間接照明のための設備機器の室内側への突出を抑えてその存在を目立たないすっきりとしたものにすることができる。
【００１０】
更に、カバーの室内側の面部に、壁面及び／又は天井面の仕上げと同じ仕上げがなされている場合は、間接照明設備と、壁面及び／又は天井面との外観上の一体感が高められ、間接照明のための設備機器の存在を目立たないすっきりとしたものにすることができる。
【００１１】
【発明の実施の形態】
次に、本発明の実施形態を図面に基づいて説明する。
【００１２】
図１及び図２に示す第１実施形態の間接照明設備において、１は室内の壁面、２は天井面であり、壁面１と天井面２とで囲まれたそれらの境界部には、間接照明用の光源４が設置され、該光源４を隠すカバー５が、天井面２との間及び壁面１との間の両方をスリット状に開放するように、該境界部に沿って延ばされ、ピース金物６，６で天井面２と壁面１とに不動固定状態に備えられている。
【００１３】
そして、カバー５は、帯状をした硬質板からなっており、光源４と対向する裏面部７は鏡面に形成されており、また、室内側の面部８は、平面をしていて、壁面１と天井面２との室内側境界部を面取り状にするように傾斜している。更に、壁面１と天井面２には仕上げとして同じ外観のクロス９，９が貼られていて、カバー５の室内側の面部にも仕上げとしてそれと同じ外観のクロス９が貼られている。
【００１４】
なお、光源４は、カバー５の側に取り付けられていてもよいし、天井面２、壁面１側に取り付けられていてもよい。また、光源４の種類に制限はなく、蛍光灯であってもよいし、白熱球であってもよいし、ＬＥＤであってもよいし、その他の光源であってもよい。
【００１５】
上記の間接照明設備では、光源４の光の反射光が、カバー５と天井面２との間を通じて天井面２に照射されると共に、カバー５と壁面１との間を通じて壁面１に照射され、それによって室内３を広い範囲にわたって柔らかな光で照らすことができる。しかも、それを一種の間接照明設備で実現することができる。
【００１６】
更に、カバー５の室内側の面部８が平面をしていて、壁面１と天井面２との室内側境界部を面取り状にするように傾斜しているので、間接照明設備の設置スペースが壁面１と天井面２とカバー５とで囲まれた三角領域となり、壁面１と天井面２とをカバー５で自然に連続させることができ、更に、間接照明のための設備機器４，５…の室内側への突出を抑えてその存在を目立たないすっきりとしたものにすることができる。
【００１７】
また、カバー５の室内側の面部には、壁面１、天井面２のクロス９，９と同じ外観のクロス９が貼られているので、間接照明設備と壁面と天井面との外観上の一体感が高められ、間接照明のための設備機器の存在を目立たないすっきりとしたものにすることができる。
【００１８】
更に、天井面２と壁面１とは、それらの境界部において直交しているだけであり、該境界部の天井面２や壁面１に間接照明設備を組み込むための加工や造作をする必要がなく、後付けでも設置することができる。
【００１９】
図３（イ）に示す第２実施形態の間接照明設備は、カバー５が、該カバー５を壁面１と天井面２との境界部に取り付ける金物１０に上下方向に回動可能に枢着されており、カバー５の回動角度を変化させることによって、
図３（ロ）に示すように、カバー５と天井面２との間、及び、カバー５と壁面１との間の両方を開放して光源４の反射光が天井面２と壁面１の両方に照射される第１の照明状態と、
図３（ハ）に示すように、カバー５と天井面２との間を閉じ、カバー５と壁面１との間を開放して光源４の反射光が壁面１の側にのみ照射される第２の照明状態と、
図３（ニ）に示すように、カバー５と壁面１との間を閉じ、カバー５と天井面２との間を開放して光源４の反射光が天井面２の側にのみ照射される第３の照明状態との切り換えを行うことができるようになされているものである。その他は、第１実施形態と略同じである。
【００２０】
図４（イ）に示す第３実施形態の間接照明設備は、第２実施形態の変形例で、カバー５は金物１０に枢着されて上下に回動可能であり、その回動角度を変化させることによって、
図４（ロ）に示すように、カバー５と天井面２との間、及び、カバー５と壁面１との間の両方を開放して光源４の反射光が天井面２と壁面１の両方に照射される第１照明状態と、
図４（ハ）に示すように、カバー５と壁面１との間を閉じ、カバー５と天井面２との間を開放して光源４の反射光が天井面２の側にのみ照射されるようにした第２照明状態との切換えを行えるようになされたものである。
【００２１】
また、図５（イ）に示す第４実施形態の間接照明設備は、同じく第２実施形態の変形例で、カバー５は金物１０に枢着されて上下に回動可能であり、その回動角度を変化させることによって、
図５（ロ）に示すように、カバー５と天井面２との間、及び、カバー５と壁面１との間の両方を開放して光源４の反射光が天井面２と壁面１の両方に照射される第１照明状態と、
図５（ハ）に示すように、カバー５と天井面２との間を閉じ、カバー５と壁面１との間を開放して光源４の反射光が壁面１の側にのみ照射されるようにした第３照明状態との切換えを行えるようになされたものである。
【００２２】
上記の第２乃至第４実施形態の間接照明設備によれば、天井面２と壁面１の両方を照らすコーブ・コーニスを兼ねた第１照明状態や、天井面２の側のみを照らすコーブ照明の第２照明状態、壁面１の側のみを照らすコーニス照明の第３の照明状態のうちの第１照明状態を含む二種以上の照明状態を一つの間接照明設備で実現することができ、しかも、切り換えによる簡易な手段でそのような多様な間接照明状態を容易に形成することができる。
【００２３】
図６に示す第５実施形態の間接照明設備は、カバー５の回動角度を無段階ないしは複数段階で変化させることができるようになされて、カバー５と天井面２との間の開放の程度と、カバー５と壁面１との間の開放の程度とを相対変化させることができるようになされている。この間接照明設備では、光源４の光の反射光によって室内３を広い範囲にわたって柔らかな光で照らすことができるのみならず、天井面２への反射光の照射量と壁面１への反射光の照射量とを変化させて、室内に趣の種々異なった間接照明空間を形成することができる。なお、本実施形態は、第２乃至第４のいずれの実施形態の間接照明設備にも適用しうるものであることはいうまでもない。
【００２４】
以上に、本発明の実施形態を示したが、本発明はこれに限られるものではなく、発明思想を逸脱しない範囲で各種の変更が可能である。例えば、カバー５の室内側の面部にクロスを貼る場合において、天井面２側のクロスと壁面１側のクロスとが外観上異なる場合は、いずれか一方のクロスと同じ外観のクロスをカバー５の室内側の面に貼るようにしてもよく、その場合であっても、間接照明設備と、壁面１又は天井面２との外観上の一体感が高められ、間接照明のための設備機器の存在を目立たないすっきりとしたものにすることができる。その場合において、壁面１や天井面２に、クロス以外の仕上げがなされている場合には、カバー５の室内側の面にも、上記のような規則のもとで、それに応じた仕上げがなされているものであってもよい。
【００２５】
【発明の効果】
本発明の間接照明設備は、以上のとおりのものであるから、反射光で室内を広い範囲にわたって照らすことができる。
【図面の簡単な説明】
【図１】第１実施形態の間接照明設備を示すもので、図（イ）は要部拡大断面図、図（ロ）は断面図である。
【図２】同断面斜視図である。
【図３】図（イ）は第２実施形態の間接照明設備を示す断面図、図（ロ）乃至図（ニ）はそれぞれ同設備で形成される複数の照明状態を示す断面図である。
【図４】図（イ）は第３実施形態の間接照明設備を示す断面図、図（ロ）及び図（ハ）はそれぞれ同設備で形成される複数の照明状態を示す断面図である。
【図５】図（イ）は第４実施形態の間接照明設備を示す断面図、図（ロ）及び図（ハ）はそれぞれ同設備で形成される複数の照明状態を示す断面図である。
【図６】図（イ）は第５実施形態の間接照明設備を示す断面図、図（ロ）乃至図（ニ）はそれぞれ同設備で形成される複数の照明状態を示す断面図である。
【符号の説明】
１…壁面
２…天井面
３…室内
４…光源
５…カバー
９…クロス（仕上げ）
【図１】
2005019344.tif 000003
【図２】
2005019344.tif 000004
【図３】
2005019344.tif 000005
【図４】
2005019344.tif 000006
【図５】
2005019344.tif 000007
【図６】
2005019344.tif 000008